【手続補正書】
【提出日】平成24年2月16日(2012.2.16)
【手続補正１】
【補正対象書類名】特許請求の範囲
【補正対象項目名】請求項４
【補正方法】変更
【補正の内容】
【請求項４】
前記端末側送信手段は、携帯端末に関する情報として携帯端末の機種を示す情報又は携帯端末に固有の情報を送信し、
前記サーバ側受信手段は、前記端末側送信手段より送信された携帯端末の機種を示す情報又は携帯端末に固有の情報を受信し、
前記記憶手段は、前記携帯端末の機種を示す情報又は前記携帯端末に固有の情報と、携帯端末に適切な大きさで表示された画像中の文字の大きさ（以下、適切なフォントサイズという）とを紐付けて記憶し、
前記解析手段は、前記取得されたウェブページのフォントサイズを取得し、
前記画像生成手段は、
前記サーバ側受信手段により受信された携帯端末の機種を示す情報又は携帯端末に固有の情報と、前記記憶手段に記憶された携帯端末の機種を示す情報又は携帯端末に固有の情報とに基づいて前記携帯端末についての適切なフォントサイズを取得する手段と、
前記解析手段により取得されたフォントサイズが前記携帯端末についての適切なフォントサイズとなるように前記ウェブページの大きさを変換する手段と、
前記大きさが変換されたウェブページを画像に変換する手段と、
を有することを特徴とする請求項１から３のいずれかに記載のウェブページ閲覧システム。
【手続補正２】
【補正対象書類名】特許請求の範囲
【補正対象項目名】請求項５
【補正方法】変更
【補正の内容】
【請求項５】
前記解析手段は、ウェブページにオブジェクトが含まれているか否かを解析し、
前記サーバは、
前記解析手段によりオブジェクトが含まれていると解析された場合に、当該オブジェクトへのリンク情報を抽出するリンク情報抽出手段と、
前記解析手段により取得されたフォントサイズと前記携帯端末についての適切なフォントサイズとに基づいてサイズ変換比を算出するサイズ変換比算出手段と、を備え、
前記サーバ側送信手段は、前記画像生成手段により生成された画像と、前記リンク情報抽出手段により抽出されたリンク情報と、前記サイズ変換比算出手段により算出されたサイズ変換比とを前記携帯端末に送信し、
前記表示制御手段は、前記リンク情報と前記サイズ変換比とに基づいて、前記画像に重ねて前記オブジェクトを適切な大きさで表示させることを特徴とする請求項４に記載のウェブページ閲覧システム。
【手続補正３】
【補正対象書類名】特許請求の範囲
【補正対象項目名】請求項６
【補正方法】変更
【補正の内容】
【請求項６】
前記記憶手段は、前記携帯端末に関する情報と最適な画像の大きさを表す指標と圧縮率とを紐付けて記憶し、
前記サーバは、前記サーバ側受信手段により受信された携帯端末に関する情報に基づいて前記携帯端末についての圧縮率を取得し、当該圧縮率で前記画像生成手段が生成した画像を圧縮する圧縮手段を備え、
前記サーバ側送信手段は、前記圧縮手段により圧縮された画像を送信することを特徴とする請求項１から５のいずれかに記載のウェブページ閲覧システム。
【手続補正４】
【補正対象書類名】明細書
【補正対象項目名】０００９
【補正方法】変更
【補正の内容】
【０００９】
本発明の第１の態様に係る記載のウェブページ閲覧システムは、表示手段が設けられた携帯端末と、前記携帯端末と接続されたサーバとで構成されたウェブページ閲覧システムであって、前記携帯端末は、前記サーバへ当該携帯端末に関する情報を送信する端末側送信手段と、前記サーバから送信された画像を受信する端末側受信手段と、前記端末側受信手段により受信された画像を前記表示手段に表示させる表示制御手段と、を備え、前記サーバは、ウェブページを取得する取得手段と、前記取得手段により取得されたウェブページを解析する解析手段と、前記端末側送信手段から送信された携帯端末に関する情報を受信するサーバ側受信手段と、前記携帯端末に関する情報と最適な画像の大きさを表す指標とが紐付けて記憶された記憶手段と、前記解析手段による解析結果と、前記サーバ側受信手段により受信された携帯端末に関する情報と、前記記憶手段に紐付けて記憶された携帯端末に関する情報と最適な画像の大きさを表す指標とに基づいて前記取得手段により取得されたウェブページから画像を生成する画像生成手段と、前記画像生成手段により生成された画像を前記携帯端末に送信するサーバ側送信手段と、を備えたことを特徴とする。
【手続補正５】
【補正対象書類名】明細書
【補正対象項目名】００１０
【補正方法】変更
【補正の内容】
【００１０】
第１の態様に係るウェブページ閲覧システムによれば、ウェブページがサーバで解析される。携帯端末から送信された携帯端末に関する情報がサーバに受信される。受信された情報と、記憶手段に記憶された携帯端末に関する情報と最適な画像の大きさを表す指標と、ウェブページの解析結果とに基づいてウェブページから画像が生成される。生成した画像はサーバから携帯端末へ送信され、携帯端末で画像が表示される。これにより、携帯端末で適切な大きさでウェブページが表示可能となるようなウェブページ閲覧用画像を生成することができる。また、適切な大きさで表示可能な画像をサーバから携帯端末へ送信することで、無駄に大きな画像を送信する必要が無いため、通信コストを可能な限り押さえることができる。
【手続補正６】
【補正対象書類名】明細書
【補正対象項目名】００１１
【補正方法】変更
【補正の内容】
【００１１】
本発明の第２の態様に係るウェブページ閲覧システムは、第１の態様に係るウェブページ閲覧システムにおいて、前記携帯端末は、前記表示手段に表示された画像の大きさが適切でない場合に、前記表示された画像の大きさの拡大又は縮小の比率の入力を受け付ける入力手段を備え、前記端末側送信手段は、前記入力手段により入力された拡大又は縮小の比率を前記サーバへ送信し、前記サーバ側受信手段は、前記端末側送信手段から送信された拡大又は縮小の比率を受信し、前記サーバは、前記サーバ側受信手段により受信された拡大又は縮小の比率に基づいて前記記憶手段に記憶された最適な画像の大きさを表す指標を更新する更新手段を備えたことを特徴とする。
【手続補正７】
【補正対象書類名】明細書
【補正対象項目名】００１２
【補正方法】変更
【補正の内容】
【００１２】
第２の態様に係るウェブページ閲覧システムによれば、携帯端末で表示された画像の大きさの拡大又は縮小の比率の入力が受け付けられると、入力された拡大又は縮小の比率がサーバへ送信される。サーバでは、受信された拡大又は縮小の比率に基づいて記憶手段に記憶された最適な画像の大きさを表す指標が更新される。これにより、より適切な大きさのウェブページ閲覧用画像が生成可能となる。
【手続補正８】
【補正対象書類名】明細書
【補正対象項目名】００１３
【補正方法】変更
【補正の内容】
【００１３】
本発明の第３の態様に係るウェブページ閲覧システムは、第２の態様に係るウェブページ閲覧システムにおいて、前記記憶手段は、前記端末側送信手段から送信された拡大又は縮小の比率と携帯端末に関する情報とを紐付けて記憶し、前記更新手段は、前記記憶手段に紐付けて記憶された拡大又は縮小の比率と携帯端末に関する情報とが所定の基準を満たす場合には、前記記憶手段に記憶された最適な画像の大きさを表す指標を更新することを特徴とする。
【手続補正９】
【補正対象書類名】明細書
【補正対象項目名】００１４
【補正方法】変更
【補正の内容】
【００１４】
第３の態様に係るウェブページ閲覧システムによれば、サーバでは、受信された拡大又は縮小の比率と携帯端末に関する情報とが紐付けて記憶され、この紐付けて記憶された拡大又は縮小の比率と携帯端末に関する情報とが所定の基準を満たす場合には、記憶手段に記憶された最適な画像の大きさを表す指標が更新される。携帯端末に関する情報として機種名を用いると、所定の基準を満たす場合には、所定の機種に対する拡大又は縮小の比率が更新される。これにより、機種等の携帯端末に関する情報毎に適切な拡大又は縮小の比率を記憶させることができる。
【手続補正１０】
【補正対象書類名】明細書
【補正対象項目名】００１５
【補正方法】変更
【補正の内容】
【００１５】
本発明の第４の態様に係るウェブページ閲覧システムは、第１〜第３の態様のいずれかに係るウェブページ閲覧システムにおいて、前記端末側送信手段は、携帯端末に関する情報として携帯端末の機種を示す情報又は携帯端末に固有の情報を送信し、前記サーバ側受信手段は、前記端末側送信手段より送信された携帯端末の機種を示す情報又は携帯端末に固有の情報を受信し、前記記憶手段は、前記携帯端末の機種を示す情報又は前記携帯端末に固有の情報と、携帯端末に適切な大きさで表示された画像中の文字の大きさ（以下、適切なフォントサイズという）とを紐付けて記憶し、前記解析手段は、前記取得されたウェブページのフォントサイズを取得し、前記画像生成手段は、前記サーバ側受信手段により受信された携帯端末の機種を示す情報又は携帯端末に固有の情報と、前記記憶手段に記憶された携帯端末の機種を示す情報又は携帯端末に固有の情報とに基づいて前記携帯端末についての適切なフォントサイズを取得する手段と、前記解析手段により取得されたフォントサイズが前記携帯端末についての適切なフォントサイズとなるように前記ウェブページの大きさを変換する手段と、前記大きさが変換されたウェブページを画像に変換する手段と、を有することを特徴とする。
【手続補正１１】
【補正対象書類名】明細書
【補正対象項目名】００１６
【補正方法】変更
【補正の内容】
【００１６】
第４の態様に係るウェブページ閲覧システムによれば、携帯端末に関する情報として携帯端末の機種を示す情報又は携帯端末に固有の情報が携帯端末からサーバへ送信される。サーバには、携帯端末の機種を示す情報又は携帯端末に固有の情報と、携帯端末に適切な大きさで表示された画像中の文字の大きさ（以下、適切なフォントサイズという）とが記憶手段に紐付けて記憶されている。サーバでは、携帯端末から送信された携帯端末の機種を示す情報又は携帯端末に固有の情報と、記憶手段に記憶された携帯端末の機種を示す情報又は携帯端末に固有の情報とに基づいて、携帯端末についての適切なフォントサイズが取得され、解析手段により解析されたウェブページのフォントサイズが携帯端末についての適切なフォントサイズとなるようにウェブページの大きさが変換され、大きさが変換されたウェブページが画像に変換される。これにより、フォントサイズを基準として、適切な大きさのウェブページ閲覧用画像が生成可能となる。
【手続補正１２】
【補正対象書類名】明細書
【補正対象項目名】００１７
【補正方法】変更
【補正の内容】
【００１７】
本発明の第５の態様に係るウェブページ閲覧システムは、第４の態様に係るウェブページ閲覧システムにおいて、前記解析手段は、ウェブページにオブジェクトが含まれているか否かを解析し、前記サーバは、前記解析手段によりオブジェクトが含まれていると解析された場合に、当該オブジェクトへのリンク情報を抽出するリンク情報抽出手段と、前記解析手段により取得されたフォントサイズと前記適切なフォントサイズとに基づいてサイズ変換比を算出するサイズ変換比算出手段と、を備え、前記サーバ側送信手段は、前記画像生成手段により生成された画像と、前記リンク情報抽出手段により抽出されたリンク情報と、前記サイズ変換比算出手段により算出されたサイズ変換比とを前記携帯端末に送信し、前記表示制御手段は、前記リンク情報と前記サイズ変換比とに基づいて、前記画像に重ねて前記オブジェクトを適切な大きさで表示させることを特徴とする。
【手続補正１３】
【補正対象書類名】明細書
【補正対象項目名】００１８
【補正方法】変更
【補正の内容】
【００１８】
第５の態様に係るウェブページ閲覧システムによれば、サーバでは、ウェブページにオブジェクトが含まれているか否かが解析され、オブジェクトが含まれていると解析された場合にはそのオブジェクトへのリンク情報が抽出される。また、サーバでは、解析手段により解析されたウェブページのフォントサイズと携帯端末についての適切なフォントサイズとに基づいてサイズ変換比が算出され、画像とリンク情報とサイズ変換比とがサーバから携帯端末に送信される。携帯端末では、リンク情報とサイズ変換比とに基づいて、画像に重ねてオブジェクトが適切な大きさで表示される。これにより、携帯端末でＰＣと同じようにウェブページを閲覧することができる。
【手続補正１４】
【補正対象書類名】明細書
【補正対象項目名】００１９
【補正方法】変更
【補正の内容】
【００１９】
本発明の第６の態様に係るウェブページ閲覧システムは、第１〜第５の態様のいずれかに係るウェブページ閲覧システムにおいて、前記記憶手段は、前記携帯端末に関する情報と最適な画像の大きさを表す指標と圧縮率とを紐付けて記憶し、前記サーバは、前記サーバ側受信手段により受信された携帯端末に関する情報に基づいて前記携帯端末についての圧縮率を取得し、当該圧縮率で前記画像生成手段が生成した画像を圧縮する圧縮手段を備え、前記サーバ側送信手段は、前記圧縮手段により圧縮された画像を送信することを特徴とする。
【手続補正１５】
【補正対象書類名】明細書
【補正対象項目名】００２０
【補正方法】変更
【補正の内容】
【００２０】
第６の態様に係るウェブページ閲覧システムによれば、携帯端末についての圧縮率で画像生成手段が生成した画像が圧縮され、圧縮後の画像が携帯端末に送信される。これにより、送信データの容量を最大限削減することができる。したがって、通信コストを可能な限り押さえることができる。
【手続補正１６】
【補正対象書類名】明細書
【補正対象項目名】００２１
【補正方法】変更
【補正の内容】
【００２１】
本発明の第７の態様に係るサーバは、第１〜第６の態様のいずれかに係るウェブページ閲覧システムを構成する。
【手続補正１７】
【補正対象書類名】明細書
【補正対象項目名】００２２
【補正方法】変更
【補正の内容】
【００２２】
本発明の第８の態様に係るウェブページ閲覧方法は、携帯端末から当該携帯端末に関する情報を受信するステップと、前記受信された携帯端末に関する情報と、記憶手段に紐付けて記憶された携帯端末に関する情報と最適な画像の大きさを表す指標とに基づいて当該携帯端末についての最適な画像の大きさを表す指標を取得するステップと、ウェブページを取得するステップと、前記取得されたウェブページを解析するステップと、前記ウェブページの解析結果と、前記携帯端末についての最適な画像の大きさを表す指標とに基づいて前記取得されたウェブページから画像を生成するステップと、前記生成された画像を前記携帯端末に送信するステップと、を含むことを特徴とする。
【手続補正１８】
【補正対象書類名】明細書
【補正対象項目名】００２３
【補正方法】変更
【補正の内容】
【００２３】
本発明の第９の態様に係るプログラムは、第８の態様に係るウェブページ閲覧方法を演算装置に実行させることを特徴とする。
【手続補正１９】
【補正対象書類名】明細書
【補正対象項目名】００５６
【補正方法】変更
【補正の内容】
【００５６】
ステップＳ１５でウェブページ解析部１２が取得したフォントサイズは１０であるため、画像生成部１４は、フォントサイズ１０の文字のフォントサイズが８となるように、図７（ａ）に示すウェブページ全体の大きさを変換し、大きさが変換された後のウェブページを画像に変換する。これにより、図７（ａ）に示すようなウェブページから閲覧画像が生成される。
【手続補正２０】
【補正対象書類名】明細書
【補正対象項目名】００６５
【補正方法】変更
【補正の内容】
【００６５】
ウェブページ閲覧システム２は、主として、サーバ１０−１と、携帯端末２０で構成される。サーバ１０−１と接続される携帯端末２０は１台でも良いし、複数でもよい。
【手続補正２１】
【補正対象書類名】明細書
【補正対象項目名】００６６
【補正方法】変更
【補正の内容】
【００６６】
サーバ１０−１は、図８に示すように、主として、ＣＰＵ１１と、ウェブページ解析部１２と、リンク情報取得部１３と、画像生成部１４と、端末情報取得部１５と、メモリ１６−１と、通信部１７とで構成される。
【手続補正２２】
【補正対象書類名】明細書
【補正対象項目名】００８８
【補正方法】変更
【補正の内容】
【００８８】
ステップＳ２７の処理について、具体例を用いて説明する。ステップＳ２６において、機種名keitai1に拡大率１．２が紐付けられたデータが１０件以上登録されているとする。ＣＰＵ１１は、端末情報テーブルを参照して、その機種名に対応する携帯端末の表示部に関する情報を取得する。図２に示す端末情報テーブルでは、機種名keitai1に紐付けられている情報は、横画素数１２０ピクセル、縦画素数１２０ピクセル、解像度７５ｄｐｉである。